(57)【要約】    【課題】      プライバシーの保護の上で問題がなく、操作性が良い目撃事件情報収集報知システムを提供すること。    【解決手段】  ユーザ通信端末装置１０３は、当該ユーザ通信端末装置１０３の位置情報、時間情報、ユーザ情報、不審物及び不審者の情報を含む目撃情報をデータ検索処理部１０１４に送信する。データ検索処理部１０１４は、前記目撃情報に基づいてユーザ情報データベース１０１５及び目撃情報データベース１０１６を検索して当該目撃情報に係る前記位置情報が示す位置の近くにいる他の複数のユーザ通信端末装置１０３のいずれかに前記目撃情報を報知する。センターサーバ１０１は、ユーザ通信端末装置１０３からの送信されてくる前記目撃情報を目撃情報データベース１０１６に保存させる。  【選択図】      図１
2005229462.tif 000002
【特許請求の範囲】
【請求項１】
センターサーバと、複数のユーザ通信端末装置と、を具備し、前記センターサーバは、前記複数のユーザ通信端末装置を使用するユーザを特定するユーザ情報を保存するユーザ情報データベースと、目撃情報を保存する目撃情報データベースと、データ検索処理手段と、を具備し、前記ユーザ通信端末装置は、当該ユーザ通信端末装置の位置情報、時間情報、前記ユーザ情報、不審物及び不審者の情報を含む目撃情報を前記データ検索処理手段に送信する手段を有し、前記データ検索処理手段は、前記目撃情報に基づいて前記ユーザ情報データベース及び前記目撃情報データベースを検索して当該目撃情報に係る前記位置情報が示す位置の近くにいる他の前記複数のユーザ通信端末装置のいずれかに前記目撃情報を報知する手段と、前記ユーザ通信端末装置からの送信されてくる前記目撃情報を前記目撃情報データベースに保存させる手段と、を有する目撃事件情報収集報知システム。
【請求項２】
センターサーバと、複数のユーザ通信端末装置と、警察署の通信装置と、を具備し、前記センターサーバは、前記複数のユーザ通信端末装置を使用するユーザを特定するユーザ情報を保存するユーザ情報データベースと、目撃情報を保存する目撃情報データベースと、事件情報を保存する事件情報データベースと、データ検索処理手段と、を具備し、前記ユーザ通信端末装置は、当該ユーザ通信端末装置の位置情報、時間情報及び前記ユーザ情報、不審物及び不審者の情報を含む目撃情報を前記データ検索処理手段に送信する手段を有し、前記警察署の通信装置は、位置情報、時間情報、不審物及び不審者の情報を含む事件情報を前記データ検索処理手段に送信する手段を有し、前記データ検索処理手段は、前記目撃情報又は前記事件情報に基づいて前記ユーザ情報データベース及び前記目撃情報データベース又は前記事件情報データベースを検索して当該目撃情報又は当該事件情報に係る前記位置情報が示す位置の近くにいる他の前記複数のユーザ通信端末装置のいずれかに前記目撃情報又は前記事件情報を報知する手段と、前記ユーザ通信端末装置からの送信されてくる前記目撃情報及び前記事件情報を前記目撃情報データベース及び前記事件情報データベースに保存させる手段と、を有する目撃事件情報収集報知システム。
【請求項３】
前記複数のユーザ通信端末装置の各々は、１又は複数の特定の地域における目撃情報及び事件情報の要求である特定地域情報要求を前記データ検索処理手段に送信する手段を有し、前記データ検索処理手段は、前記特定地域情報要求に係る前記特定の地域における前記目撃情報及び前記事件情報を前記特定地域情報要求に係る前記ユーザ通信端末装置に報知する手段を有する請求項１又は請求項２に記載の目撃事件情報収集報知システム。
【請求項４】
前記データ検索処理手段は、前記ユーザ通信端末装置から送信されてくる前記目撃情報を警察署の通信装置に報知する手段を有する請求項１から請求項３のいずれかに記載の目撃事件情報収集報知システム。
【請求項５】
前記センターサーバは、所定期間ごとに前記目撃情報データベース及び前記事件情報データベースのデータを集計して集計データを生成し前記警察署の通信装置に報知するデータ集計報知手段を有する請求項１から請求項４のいずれかに記載の目撃事件情報収集報知システム。
【発明の詳細な説明】
【技術分野】
【０００１】
本発明は、目撃情報及び事件情報を収集して報知する目撃事件情報収集報知システムに関する。
【背景技術】
【０００２】
関係者探索システムとして特許文献１に記載のものがある。特許文献１に記載の関係者探索システムは、携帯端末装置による位置情報を利用した関係者探索システムであって、緊急通報受信手段、収集手段及び出力手段を具備している。
【０００３】
前記緊急通報受信手段は、携帯端末装置から発せられた緊急通報を受信する。前記収集手段は、前記緊急通報受信手段により受信した前記緊急通報に対し、前記携帯端末装置が存在している自在圏エリアを含む関係者探索のためのエリアの基地局へ、前記基地局で保持している前記エリア内の他の携帯端末装置の加入者情報の収集を依頼し、前記緊急通報の通報元である携帯端末装置の加入者情報および前記他の携帯端末装置の加入者情報を含む緊急通報関連情報を収集する。前記出力手段は、前記収集手段により収集した前記緊急通報関連情報を出力する。
【特許文献１】特開２００３−２２９９７３号公報
【発明の開示】
【発明が解決しようとする課題】
【０００４】
しかしながら、従来の関係者探索システムにおいては、事件が発生して携帯端末装置から緊急通報が発せられた時に、前記携帯端末装置のエリア内の他の携帯端末装置の加入者情報の収集を依頼し、前記緊急通報の通報元である携帯端末装置の加入者情報および前記他の携帯端末装置の加入者情報を含む緊急通報関連情報を収集するため、プライバシーの保護の上で問題があり、また、事件と関係がある人と関係がない人との区別がつかないから操作性が悪い。
【０００５】
本発明は、かかる点に鑑みてなされたものであり、プライバシーの保護の上で問題がなく、かつ、操作性が良い目撃事件情報収集報知システムを提供することを目的とする。
【課題を解決するための手段】
【０００６】
請求項１に記載の目撃事件情報収集報知システムは、センターサーバと、複数のユーザ通信端末装置と、を具備し、前記センターサーバが、前記複数のユーザ通信端末装置を使用するユーザを特定するユーザ情報を保存するユーザ情報データベースと、目撃情報を保存する目撃情報データベースと、データ検索処理手段と、を具備し、前記ユーザ通信端末装置は、当該ユーザ通信端末装置の位置情報、時間情報、前記ユーザ情報、不審物及び不審者の情報を含む目撃情報を前記データ検索処理手段に送信する手段を有し、前記データ検索処理手段が、前記目撃情報に基づいて前記ユーザ情報データベース及び前記目撃情報データベースを検索して当該目撃情報に係る前記位置情報が示す位置の近くにいる他の前記複数のユーザ通信端末装置のいずれかに前記目撃情報を報知する手段と、前記ユーザ通信端末装置からの送信されてくる前記目撃情報を前記目撃情報データベースに保存させる手段と、を有する構成を採る。
【０００７】
この構成によれば、登録した特定のユーザにのみ目撃情報を報知するためプライバシーの保護の上で問題がなく、かつ、操作性が良い目撃事件情報収集報知システムを提供することができる。また、この構成によれば、目撃情報に係る位置情報が示す位置の近くにいる他の複数のユーザ通信端末装置のいずれかに前記目撃情報を報知するため、ユーザはリアルタイムで目撃情報を得ることができるから事件に巻き込まれることを防止することができる。
【０００８】
請求項２に記載の目撃事件情報収集報知システムは、センターサーバと、複数のユーザ通信端末装置と、警察署の通信装置と、を具備し、前記センターサーバは、前記複数のユーザ通信端末装置を使用するユーザを特定するユーザ情報を保存するユーザ情報データベースと、目撃情報を保存する目撃情報データベースと、事件情報を保存する事件情報データベースと、データ検索処理手段と、を具備し、前記ユーザ通信端末装置が、当該ユーザ通信端末装置の位置情報、時間情報及び前記ユーザ情報、不審物及び不審者の情報を含む目撃情報を前記データ検索処理手段に送信する手段を有し、前記警察署の通信装置は、位置情報、時間情報、不審物及び不審者の情報を含む事件情報を前記データ検索処理手段に送信する手段を有し、前記データ検索処理手段が、前記目撃情報又は前記事件情報に基づいて前記ユーザ情報データベース及び前記目撃情報データベース又は前記事件情報データベースを検索して当該目撃情報又は当該事件情報に係る前記位置情報が示す位置の近くにいる他の前記複数のユーザ通信端末装置のいずれかに前記目撃情報又は前記事件情報を報知する手段と、前記ユーザ通信端末装置からの送信されてくる前記目撃情報及び前記事件情報を前記目撃情報データベース及び前記事件情報データベースに保存させる手段と、を有する構成を採る。
【０００９】
この構成によれば、登録した特定のユーザにのみ目撃情報又は事件情報を報知するためプライバシーの保護の上で問題がなく、かつ、操作性が良い目撃事件情報収集報知システムを提供することができる。また、この構成によれば、目撃情報又は事件情報に係る位置情報が示す位置の近くにいる他の複数のユーザ通信端末装置のいずれかに前記目撃情報又は事件情報を報知するため、ユーザはリアルタイムで目撃情報又は事件情報を得ることができるから事件に巻き込まれることを防止することができる。
【００１０】
請求項３に記載の目撃事件情報収集報知システムは、請求項１又は請求項２に記載の発明において、前記複数のユーザ通信端末装置の各々が、１又は複数の特定の地域における目撃情報及び事件情報の要求である特定地域情報要求を前記データ検索処理手段に送信する手段を有し、前記データ検索処理手段が、前記特定地域情報要求に係る前記特定の地域における前記目撃情報及び前記事件情報を前記特定地域情報要求に係る前記ユーザ通信端末装置に報知する手段を有する構成を採る。
【００１１】
この構成によれば、請求項１又は請求項２に記載の発明の効果に加えて、ユーザが１又は複数の特定の地域における目撃情報及び事件情報を得ることができる。
【００１２】
請求項４に記載の目撃事件情報収集報知システムは、請求項１から請求項３のいずれかに記載の発明において、前記データ検索処理手段が、前記ユーザ通信端末装置から送信されてくる前記目撃情報を警察署の通信装置に報知する手段を有する構成を採る。
【００１３】
この構成によれば、請求項１から請求項３のいずれかに記載の発明の効果に加えて、ユーザ通信端末装置から送信されてくる目撃情報を警察署の通信装置に報知することができる。
【００１４】
請求項５に記載の目撃事件情報収集報知システムは、請求項１から請求項４のいずれかに記載の発明において、前記センターサーバが、所定期間ごとに前記目撃情報データベース及び前記事件情報データベースのデータを集計して集計データを生成し前記警察署の通信装置に報知するデータ集計報知手段を有する構成を採る。
【００１５】
この構成によれば、請求項１から請求項４のいずれかに記載の発明の効果に加えて、所定期間ごとに目撃情報データベース及び事件情報データベースのデータを集計して集計データを生成し警察署の通信装置に報知することができる。
【発明の効果】
【００１６】
以上説明したように、本発明によれば、プライバシーの保護の上で問題がなく、かつ、操作性が良い目撃事件情報収集報知システムを提供することができる。
【発明を実施するための最良の形態】
【００１７】
本発明の骨子は、ユーザ通信端末装置が、当該ユーザ通信端末装置の位置情報、時間情報、前記ユーザ情報、不審物及び不審者の情報を含む目撃情報をデータ検索処理手段に送信する手段を有し、前記データ検索処理手段が、前記目撃情報に基づいて前記ユーザ情報データベース及び前記目撃情報データベースを検索して当該目撃情報に係る前記位置情報が示す位置の近くにいる他の前記複数のユーザ通信端末装置のいずれかに前記目撃情報を報知し、前記ユーザ通信端末装置からの送信されてくる前記目撃情報を前記目撃情報データベースに保存させることである。
【００１８】
以下、本発明の実施の形態について、図面を参照して詳細に説明する。
【００１９】
（実施の形態１）
図１は、本発明の実施の形態１に係る目撃事件情報収集報知システムの構成を示すブロック図である。
【００２０】
図１に示すように、本発明の実施の形態１に係る目撃事件情報収集報知システム１００は、センターサーバ１０１と、基地局装置１０２、複数のユーザ通信端末装置１０３と、警察署の通信装置１０４を具備している。
【００２１】
複数のユーザ通信端末装置１０３は、基地局装置１０２を介してセンターサーバ１０１と通信を行う。センターサーバ１０１は、警察署の通信装置１０４と通信を行う。
【００２２】
センターサーバ１０１は、送受信部１０１１、送信データ処理部１０１２、受信データ処理部１０１３、データ検索処理部１０１４、ユーザ情報データベース１０１５、目撃情報データベース１０１６、事件情報データベース１０１７、送信データ処理部１０１８、受信データ処理部１０１９及び送受信部１０２０を具備している。
【００２３】
まず、目撃事件情報収集報知システム１００を使用するユーザは、次のようにユーザ登録を行う。ユーザは、ユーザ通信端末装置１０３により登録するためのホームページにアクセスし、登録に必要なユーザ情報（氏名、携帯電話番号及びメールアドレス等）を基地局装置１０２を介してセンターサーバ１０１に送信する。ユーザ情報とは、複数のユーザ通信端末装置１０３を使用するユーザを特定するものである。センターサーバ１０１は、登録に必要なユーザ情報を受けた時にユーザ情報データベース１０１５に保存（登録）する。
【００２４】
また、警察官は、警察署の通信装置１０４により位置情報、時間情報、不審物及び不審者の情報を含む事件情報をセンターサーバ１０１に送信する。センターサーバ１０１は、事件情報を受けた時に事件情報データベース１０１７に保存する。これにより、目撃事件情報収集報知システム１００は、使用できる状態となる。
【００２５】
複数のユーザ通信端末装置１０３の各々は、当該ユーザ通信端末装置１０３の位置情報、時間情報、ユーザ情報、不審物及び不審者の情報を含む目撃情報を基地局装置１０２を介してセンターサーバ１０１の送受信部１０１１に送信することができる。目撃情報の記入画面例は、例えば、図２に示すような例である。送受信部１０１１は、位置情報、時間情報、ユーザ情報、不審物及び不審者の情報を含む目撃情報を受信データ処理部１０１３に与える。受信データ処理部１０１３は、目撃情報を処理して目撃情報データベース１０１６に保存させ、かつ、データ検索処理部１０１４に与える。
【００２６】
警察署の通信装置１０４は、事件情報をセンターサーバ１０１の送受信部１０２０に送信する。送受信部１０２０は、事件情報を受信データ処理部１０１９に与える。事件情報の記入画面例は、例えば、図３に示すような例である。受信データ処理部１０１９は、事件情報を処理して事件情報データベース１０１７に保存させ、かつ、データ検索処理部１０１４に与える。
【００２７】
データ検索処理部１０１４は、目撃情報又は事件情報に基づいてユーザ情報データベース１０１５及び目撃情報データベース１０１６又は事件情報データベース１０１７を検索して当該目撃情報又は当該事件情報に係る前記位置情報が示す位置の近くにいる複数のユーザ通信端末装置１０３のいずれかに前記目撃情報又は前記事件情報を報知する。この場合に、データ検索処理部１０１４は目撃情報データベース１０１６又は事件情報データベース１０１７からの目撃情報又は事件情報を送信データ処理部１０１２に与え、送信データ処理部１０１２はデータ検索処理部１０１４からの目撃情報又は事件情報を処理して送受信部１０１１及び基地局装置１０２を介して該当するユーザ通信端末装置１０３に送信する。
【００２８】
また、データ検索処理部１０１４は、ユーザ通信端末装置１０３から基地局装置１０２、送受信部１０１１及び受信データ処理部１０１３を介して目撃情報を受けた時に送信データ処理部１０１８に与える。送信データ処理部１０１８は、目撃情報を処理して送受信部１０２０に与える。送受信部１０２０は、目撃情報を警察署の通信装置１０４に報知する。
【００２９】
なお、複数のユーザ通信端末装置１０３の各々は、１又は複数の特定の地域における目撃情報及び事件情報の要求である特定地域情報要求をデータ検索処理部１０１４に送信し、データ検索処理部１０１４は、特定地域情報要求に係る特定の地域における前記目撃情報及び前記事件情報を前記特定地域情報要求に係る複数のユーザ通信端末装置１０３に報知するように構成してもよい。
【００３０】
このように、本発明の実施の形態１においては、登録した特定のユーザにのみ目撃情報又は事件情報を報知するためプライバシーの保護の上で問題がなく、かつ、操作性が良い目撃事件情報収集報知システムを提供することができる。また、本発明の実施の形態１においては、目撃情報又は事件情報に係る位置情報が示す位置の近くにいる他の複数のユーザ通信端末装置１０３のいずれかに前記目撃情報又は事件情報を報知するため、ユーザはリアルタイムで目撃情報又は事件情報を得ることができるから事件に巻き込まれることを防止することができる。また、本発明の実施の形態１においては、ユーザ通信端末装置１０３から送信されてくる目撃情報を警察署の通信装置１０４に報知することができる。
【００３１】
（実施の形態２）
次に、本発明の実施の形態２について、図面を参照して詳細に説明する。図４は、本発明の実施の形態２に係る目撃事件情報収集報知システムの構成を示すブロック図である。
【００３２】
図４に示すように、本発明の実施の形態２に係る目撃事件情報収集報知システム４００は、センターサーバ４０１と、基地局装置１０２、複数のユーザ通信端末装置１０３と、警察署の通信装置１０４を具備している。
【００３３】
複数のユーザ通信端末装置１０３は、基地局装置１０２を介してセンターサーバ４０１と通信を行う。センターサーバ４０１は、警察署の通信装置１０４と通信を行う。
【００３４】
センターサーバ４０１は、送受信部１０１１、送信データ処理部１０１２、受信データ処理部１０１３、データ検索処理部１０１４、ユーザ情報データベース１０１５、目撃情報データベース１０１６、事件情報データベース１０１７、送信データ処理部１０１８、受信データ処理部１０１９、送受信部１０２０及びデータ集計報知部４０２を具備している。
【００３５】
すなわち、本発明の実施の形態２に係る目撃事件情報収集報知システム４００は、本発明の実施の形態１に係る目撃事件情報収集報知システム１００においてデータ集計報知部４０２を追加してなる。
【００３６】
データ集計報知部４０２は、所定期間ごとに目撃情報データベース１０１６及び事件情報データベース１０１７のデータを集計して集計データを生成して警察署の通信装置１０４に報知する。この場合に、データ集計報知部４０２は、集計データを送信データ処理部１０１８に与える。送信データ処理部１０１８は、集計データを処理して送受信部１０２０に与える。送受信部１０２０は、集計データを警察署の通信装置１０４に報知する。これ以外の本発明の実施の形態２の構成は、本発明の実施の形態１と同じである。
【００３７】
このように、本発明の実施の形態２においては、本発明の実施の形態１の効果に加えて、所定期間ごとに目撃情報データベース及び事件情報データベースのデータを集計して集計データを生成し警察署の通信装置に報知することができる。
【産業上の利用可能性】
【００３８】
本発明は、目撃情報及び事件情報を収集して報知する目撃事件情報収集報知システムに有用である。
【図面の簡単な説明】
【００３９】
【図１】本発明の実施の形態１に係る目撃事件情報収集報知システムの構成を示すブロック図
【図２】本発明の実施の形態１に係る目撃事件情報収集報知システムにおける目撃情報の記入画面例を示す図
【図３】本発明の実施の形態１に係る目撃事件情報収集報知システムにおける事件情報の記入画面例を示す図
【図４】本発明の実施の形態２に係る目撃事件情報収集報知システムの構成を示すブロック図
【符号の説明】
【００４０】
１００、４００  目撃事件情報収集報知システム
１０１、４０１  センターサーバ
１０２  基地局装置
１０３  ユーザ通信端末装置
１０４  警察署の通信装置
１０１４  データ検索処理部
１０１５  ユーザ情報データベース
１０１６  目撃情報データベース
１０１７  事件情報データベース
４０２  データ集計報知部
【図１】
2005229462.tif 000003
【図２】
2005229462.tif 000004
【図３】
2005229462.tif 000005
【図４】
2005229462.tif 000006